(57)【要約】【課題】高いＮＴＳＣ比を有し、優れた色再現性を有するカラー液晶表示装置用三波長冷陰極管バックライトおよびカラー液晶表示装置を提供することを主目的とする。【解決手段】本発明は、波長５２５ｎｍ〜５３５ｎｍの範囲内における相対輝度（最大値を１としたときの輝度）が０．１５以上であることを特徴とするカラー液晶表示装置用三波長冷陰極管バックライトを提供することにより上記目的を達成するものである。【選択図】　　　無し【特許請求の範囲】
【請求項１】
波長５３０±５ｎｍの範囲内における相対輝度が０．１５以上であることを特徴とするカラー液晶表示装置用三波長冷陰極管バックライト。
【請求項２】
波長５２５±１０ｎｍの範囲内に相対輝度の極大値を有することを特徴とする請求項１に記載のカラー液晶表示装置用三波長冷陰極管バックライト。
【請求項３】
波長５４０ｎｍ〜５６０ｎｍの範囲内における相対輝度が０．６５以下であり、波長４８０ｎｍ〜５００ｎｍの範囲内での相対輝度が０．２以下であることを特徴とする請求項１または請求項２に記載のカラー液晶表示装置用三波長冷陰極管バックライト。
【請求項４】
赤色（Ｒ）、緑色（Ｇ）、および青色（Ｂ）の画素部を有するカラーフィルタであって、前記緑色（Ｇ）画素部の透過率が最大となる波長が５３０±１０ｎｍであり、かつ前記緑色（Ｇ）画素部の透過率が最大となる波長より短波長側における透過率と、前記青色（Ｂ）画素部の透過率が最大となる波長より長波長側における透過率とが一致する波長が４８０ｎｍ〜５００ｎｍの範囲内であり、その透過率は６０％以下であることを特徴とするカラーフィルタ。
【請求項５】
請求項１から請求項３までのいずれかのカラー液晶表示装置用三波長冷陰極管バックライトと、請求項４に記載のカラーフィルタとを有することを特徴とするカラー液晶表示装置。
【発明の詳細な説明】
【０００１】
【発明の属する技術分野】
本発明は、特に表示品質に優れ、信頼性の高いカラー液晶表示装置用三波長冷陰極管バックライトおよびカラー液晶表示装置に関する。
【０００２】
【従来の技術】
近年、液晶ディスプレイは、消費電力、省スペース等の利点や、低価格化等により、従来より電子ディスプレイの代表であったＣＲＴ（ブラウン管）に置き換わりつつあるが、ＣＲＴと比べて問題となっているのが、色再現能力である。
【０００３】
カラー液晶ディスプレイにおいて、赤、緑、青の３原色の色純度は、カラーフィルタの膜厚、色素の濃度の値を高めるほど向上するが、カラーフィルタの透過率は逆に低下して表示画像が暗くなる。従来、ノート型パーソナルコンピュータ用の液晶ディスプレイでは、バッテリー駆動時間をより長くするために、少ない消費電力の光源でより明るい表示が得られるよう、色純度よりも透過率に重点が置かれていた。また、従来のカラー液晶ディスプレイの用途は、ワードプロセッサー、パーソナルコンピュータ等のＯＡ機器用が主であり、文字、図形、グラフ、表等をカラーで表示するものであったため、色純度、すなわち色再現域は重要視されていなかった。
【０００４】
しかしながら、技術進歩による液晶ディスプレイの多色表示の可能化に伴い、カラーテレビを始め、写真画像や動画映像の表示デバイスとして利用されるようになり、赤、緑、青の色純度が高く、肌色のような中間調表示を含む高い色再現が要求されている。そこで、例えば、カラー液晶ディスプレイの光源として、狭い帯域の分光特性を有する光源を使用し、この光源の相対輝度の極大値とカラーフィルタの各色要素の透過波長領域の透過率が最大となる波長とをほぼ一致させることにより、カラー液晶ディスプレイの色純度を高め、優れた色再現性を得ることが行なわれている（例えば、特許文献１および特許文献２参照）。
【０００５】
また、ＣＲＴを用いたカラーＴＶにおけるカラー表示として、従来からＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式によるカラー表示が標準となっており、このような背景のもとで、カラー液晶ディスプレイによるＴＶ画像もＮＴＳＣ方式が標準方式となっているが、ＮＴＳＣ規格の色特性を有するようなカラー液晶ディスプレイは実現されていない。
【０００６】
【特許文献１】
特開平７−２５３５７７号公報
【特許文献２】
特開平７−２６１１６７号公報
【０００７】
【発明が解決しようとする課題】
上記のことから、高いＮＴＳＣ比を有し、優れた色再現性を有するカラー液晶表示装置用三波長冷陰極管バックライトおよびカラー液晶表示装置の提供が望まれている。
【０００８】
【課題が解決するための手段】
本発明は、請求項１に記載するように、波長５３０±５ｎｍの範囲内における相対輝度が０．１５以上であることを特徴とするカラー液晶表示装置用三波長冷陰極管バックライトを提供する。
【０００９】
本発明によれば、カラー液晶表示装置に用いられるバックライトが、波長５３０±５ｎｍの範囲内において、上記の値以上の相対輝度を有することにより、カラー液晶表示装置とした場合に、緑色の再現領域を広くすることが可能となり、ＮＴＳＣ規格の色特性再現領域に近い、高いＮＴＳＣ比が実現可能なカラー液晶表示装置とすることが可能となるのである。
【００１０】
上記請求項１に記載の発明においては、請求項２に記載するように、波長５２５±１０ｎｍの範囲内に相対輝度の極大値を有することが好ましい。これにより、カラー液晶表示装置とした場合に、緑色の再現領域をより広くすることが可能となるからである。
【００１１】
また、上記請求項１または請求項２に記載の発明においては、請求項３に記載するように、波長５４０ｎｍ〜５６０ｎｍの範囲内における相対輝度が０．６５以下であり、波長４８０ｎｍ〜５００ｎｍの範囲内での相対輝度が０．２以下であることが好ましい。上記波長５４０ｎｍ〜５６０ｎｍの範囲内の波長領域において、相対輝度が上記値以下であれば、相対的に５３０ｎｍの輝度が高くなり、緑色の再現域をより広くすることが可能となるからである。
【００１２】
また、上記波長４８０ｎｍ〜５００ｎｍの範囲内の波長領域において、相対輝度が上記値以下であることにより、カラーフィルタの青色（Ｂ）画素部および緑色（Ｇ）画素部による色分離が、より容易となるからである。
【００１３】
また、本発明は、請求項４に記載するように、赤色（Ｒ）、緑色（Ｇ）、および青色（Ｂ）の画素部を有するカラーフィルタであって、上記緑色（Ｇ）画素部の透過率が最大となる波長が５３０±１０ｎｍであり、かつ上記緑色（Ｇ）画素部の透過率が最大となる波長より短波長側における透過率と、上記青色（Ｂ）画素部の透過率が最大となる波長より長波長側における透過率とが一致する波長が４８０ｎｍ〜５００ｎｍの範囲内であり、その透過率は６０％以下であることを特徴とするカラーフィルタを提供する。
【００１４】
本発明によれば、上記緑色（Ｇ）画素部の透過率が最大となる波長が上記範囲内であることにより、カラー液晶表示装置とした際に、色再現領域の広い表示が可能となるのである。また、上記緑色（Ｇ）画素部の透過率曲線と、上記青色（Ｂ）画素部の透過率曲線との交点における波長が、上記範囲内であることにより、緑色（Ｇ）画素部および青色（Ｂ）画素部によって、適切な色分離が可能となることから、カラー液晶表示装置とした場合に、高い色純度とすることが可能となるのである。
【００１５】
また、本発明は請求項５に記載するように、請求項１から請求項３までのいずれかのカラー液晶表示装置用三波長冷陰極管バックライトと、請求項４に記載のカラーフィルタとを有することを特徴とするカラー液晶表示装置を提供する。
【００１６】
本発明によれば、色再現領域を広くすることが可能であり、かつカラーフィルタによる青色と緑色の色分離が容易である上記のカラー液晶表示装置用冷陰極管バックライトと、適切な色分離を実現することが可能な上記カラーフィルタを組み合わせることにより、色再現域の広い、高いＮＴＳＣ比を有するカラー液晶表示装置とすることが可能となるのである。
【００１７】
【発明の実施の形態】
本発明は、カラー液晶表示装置用三波長冷陰極管バックライト、カラーフィルタ、およびカラー液晶表示装置に関するものである。以下、それぞれの構成について説明する。
【００１８】
Ａ．カラー液晶表示装置用三波長冷陰極管バックライト
まず、本発明のカラー液晶表示装置用三波長冷陰極管バックライトについて説明する。本発明のカラー液晶表示装置用冷陰極管バックライトは、例えば図１に示すように、波長５３０±５ｎｍの範囲内（図中の斜線部）における相対輝度が、０．１５以上あるものであれば、特に限定されるものではない。
【００１９】
ここで、相対輝度とは、可視光領域（波長３８０ｎｍ〜７８０ｎｍ）における輝度の最大値を１とした場合の輝度をいう。
【００２０】
図２のＣＩＥｘｙ座標に示すように、ＮＴＳＣ規格（破線）の緑色（Ｇ）は、主波長が５３０ｎｍ近傍にあることから、カラー液晶表示装置のバックライトの５３０ｎｍ近傍の相対輝度を向上させることにより、色再現領域を向上させることができ、高いＮＴＳＣ比を有するカラー液晶表示装置とすることが可能となるのである。ここで、ＮＴＳＣ比とは、ＮＴＳＣ規格の色再現領域に対する、カラー液晶表示装置の実測した色再現領域の割合である。
【００２１】
本発明においては、この波長５３０±５ｎｍの範囲内の相対輝度を０．１５以上、好ましくは０．３以上とするものである。
【００２２】
また、本発明においては、例えば図１に示すように、上記波長５２５±１０ｎｍの範囲内に相対輝度の極大値を有することが好ましい。これにより、カラー液晶表示装置とした際に緑色の色再現域を広くすることが可能となるからである。
【００２３】
さらに、本発明においては、波長５４０ｎｍ〜５６０ｎｍの範囲内における相対輝度が０．６５以下、好ましくは０．５以下であることが好ましい。一般的な三波長冷陰極管は、５５０ｎｍ近傍に輝線スペクトルを有しており、この輝線スペクトルの相対輝度を低くすることによりカラー液晶表示装置とした場合に、上記の緑色の色再現域を広くすることが可能となるからである。
【００２４】
また、本発明のカラー液晶表示装置用バックライトは、上述したように、青色領域に近い５２５±１０ｎｍの範囲内の相対輝度が高いことから、カラーフィルタによる青色と緑色との色分離が困難となる。そこで、本発明においては、４８０ｎｍ〜５００ｎｍの範囲内における相対輝度が０．２以下、好ましくは０．１以下であることが好ましい。上記緑色波長領域および青色波長領域の間にある上記範囲内における相対輝度が、上記値以下であることにより、よりカラーフィルタによる青色と緑色の色分離が容易となるからである。
【００２５】
上記の相対輝度を得る方法として、具体的には、５３０ｎｍの近傍に輝線スペクトルを有する蛍光体、具体的には５２０ｎｍに輝線スペクトルを有するＢａＭｇ２Ａｌ１６Ｏ２７：Ｅｕ，Ｍｎなる組成をもつ蛍光体と、一般的な三波長蛍光ランプに用いられ、５５０ｎｍに輝線スペクトルを有するＬａＰＯ４：Ｃｅ，Ｔｂの二種類の蛍光体を適宜混合することにより、５２５±１０ｎｍの範囲内に相対輝度の極大値を有することが可能であり、また５４０ｎｍ〜５６０ｎｍの範囲内における相対輝度を上記の値以下とすることが可能となるのである。
【００２６】
また、上記の二種類の蛍光体の混合以外に、単独で同様の相対輝度を有する蛍光体、具体的にはＭｇＡｌ１１Ｏ１９：Ｃｅ，Ｔｂ，Ｍｎを用いてもよく、また上記５２０ｎｍに輝線スペクトルを有するＢａＭｇ２Ａｌ１６Ｏ２７：Ｅｕ，Ｍｎを単体で用いてもよい。
【００２７】
ここで、上記ＢａＭｇ２Ａｌ１６Ｏ２７：Ｅｕ，ＭｎまたはＭｇＡｌ１１Ｏ１９：Ｃｅ，Ｔｂ，Ｍｎを用いることにより、４８０ｎｍ〜５００ｎｍにおける相対輝度を上記の値以下とすることが可能となる。
【００２８】
上記分光スペクトルの値は、大塚電子製分光測光装置ＭＣＰＤ−２０００を用いた値である。
【００２９】
Ｂ．カラーフィルタ
次に、本発明のカラーフィルタについて説明する。本発明のカラーフィルタは、赤色（Ｒ）、緑色（Ｇ）、および青色（Ｂ）の画素部を有し、上記緑色（Ｇ）画素部の透過率が最大となる波長が５３０±１０ｎｍの範囲内であり、かつ上記緑色（Ｇ）画素部の透過率が最大となる波長より短波長側における透過率と、上記青色（Ｂ）画素部の透過率が最大となる波長より長波長側における透過率とが一致する波長が４８０ｎｍ〜５００ｎｍの範囲内であり、その一致する透過率が６０％以下であるものであれば、特に限定されるものではないが、カラー液晶表示装置とした際に、バックライトとして用いられる三波長冷陰極管に対応したカラーフィルタであることが好ましい。
【００３０】
図２に示すように、ＮＴＳＣ規格（破線）の緑色（Ｇ）の主波長は、５３０ｎｍ近傍であり、本発明においては、カラーフィルタの緑色（Ｇ）画素部の透過率が最大となる波長を上記の範囲内とすることにより、緑色の再現領域が広くなり、カラー液晶表示装置とした際に、高いＮＴＳＣ比を実現することが可能となる。
【００３１】
ここで、緑色（Ｇ）画素部の透過率が最大となる波長を上記範囲内とすることにより、青色（Ｂ）画素部の透過率が最大となる波長と近くなる。このことから、上記の緑色（Ｇ）画素部の透過率曲線および青色（Ｂ）画素部の透過率曲線の交点における波長を上記範囲内とし、その波長における透過率を上記範囲内とすることにより、青色および緑色の色分離が優れたカラーフィルタとすることが可能となるのである。
【００３２】
なお、本発明でいう透過率が最大となる波長とは、可視光領域において透過率が最大となる波長のことをいう。
【００３３】
以下、本発明のカラーフィルタの各構成について説明する。
【００３４】
（緑色（Ｇ）画素部）
まず、本発明のカラーフィルタの緑色（Ｇ）画素部について説明する。本発明の緑色（Ｇ）画素部は、例えば図３に示すように、緑色（Ｇ）画素部の透過率（破線）が最大となる波長が５３０±１０ｎｍの範囲内（ここでは５２０ｎｍ）にあり、かつ緑色（Ｇ）画素部の透過率（破線）が最大となる波長と、青色（Ｂ）画素部の透過率（一点鎖線）が最大となる波長の間にある、それぞれの透過率が一致する波長および透過率が、上述した範囲内である緑色（Ｇ）画素部であれば、特に限定されるものではないが、カラー液晶表示装置とする際に用いられる、三波長冷陰極管の相対輝度に対応したものであることが好ましい。また、この際用いられる三波長冷陰極管は、波長５３０±５ｎｍにおいて、０．１５以上の相対輝度を有するものであることが好ましい。
【００３５】
上述したように、ＮＴＳＣ規格の緑の主波長は、５３０ｎｍ近傍であり緑色（Ｇ）画素部の透過率が最大となる波長を５３０±１０ｎｍ、好ましくは５３０±５ｎｍとすることにより、緑色の再現領域を広くすることが可能となり、また高いＮＴＳＣ比を有するようなカラー液晶表示装置とすることが可能となる。
【００３６】
また、上記緑色（Ｇ）画素部の透過率が最大となる波長を上記範囲内とすることにより、青色（Ｂ）画素部と緑色（Ｇ）画素部の透過率が最大となる波長が接近する。そこで本発明においては、上記青色（Ｂ）画素部の透過率と緑色（Ｇ）画素部の透過率が一致する波長を４８０ｎｍ〜５００ｎｍ、好ましくは４８５ｎｍ〜４９５ｎｍの範囲内とすることにより、青色（Ｂ）画素部および緑色（Ｇ）画素部における色分離が可能となり、色純度の高いカラーフィルタとすることが可能となるのである。
【００３７】
また、上述した緑色（Ｇ）画素部の透過率と、上記青色（Ｂ）画素部の透過率とが一致する波長における透過率が、６０％以下であることが好ましい。これにより、カラー液晶表示装置とした際に、緑色および青色の色分離が良好な色純度の高いものとすることが可能となるからである。
【００３８】
また、本発明の緑色（Ｇ）画素部においては、透過率が最大となる波長における透過率が７５％以上であることが好ましい。透過率が最大となる波長における透過率を上記範囲内とすることにより、明度の高いカラーフィルタとすることが可能となるからである。
【００３９】
上記の緑色（Ｇ）画素部は、一般的にカラーフィルタで画素部として用いられるものであれば、材料等は特に限定されるものではなく、一般的な画素部の材料として、顔料とバインダとその添加剤等により構成される。
【００４０】
ここで、上記分光透過率の値は、オリンパス光学工業（株）製分光測色計ＯＳＰ−ＳＰ２００により測定した値である。
【００４１】
（青色（Ｂ）画素部）
次に、本発明のカラーフィルタの青色（Ｂ）画素部について説明する。本発明の青色（Ｂ）画素部は、例えば図３に示すように、緑色（Ｇ）画素部の透過率（破線）の透過率が最大となる波長と、青色（Ｂ）画素部の透過率（一点鎖線）の透過率が最大となる波長の間にある、それぞれの透過率が一致する波長が上述した範囲内である青色（Ｂ）画素部であれば、特に限定されるものではないが、カラー液晶表示装置とする際に用いられる、三波長冷陰極管に対応したものであることが好ましい。また、この際用いられる三波長冷陰極管は、上記の緑色（Ｇ）画素部および青色（Ｂ）画素部の透過率が一致する波長において、相対輝度が小さいものであることが好ましい。
【００４２】
上述した緑色（Ｇ）画素部の項で説明したのと同様に、青色（Ｂ）画素部の透過率と緑色（Ｇ）画素部の透過率が一致する波長において、透過率を上記範囲内とすることにより、青色（Ｂ）画素部および緑色（Ｇ）画素部における色分離が可能となり、色純度の高いカラーフィルタとすることが可能となるのである。
【００４３】
また、本発明の青色（Ｂ）画素部においては、透過率が最大となる波長における透過率が７０％以上であることが好ましい。透過率が最大となる波長における透過率を上記範囲内とすることにより、明度の高いカラーフィルタとすることが可能となるからである。
【００４４】
上記の青色（Ｂ）画素部は、一般的にカラーフィルタで画素部として用いられるものであれば、材料等は特に限定されるものではなく、一般的な画素部の材料として、顔料とバインダとその添加剤等により構成される。
【００４５】
（赤色（Ｒ）画素部）
次に、本発明のカラーフィルタに用いられる赤色（Ｒ）画素部について説明する。本発明の赤色（Ｒ）画素部は、一般的にカラーフィルタに赤色（Ｒ）画素部として用いられるものであれば、特に限定されるものではないが、中でも青色（Ｂ）画素部の透過率が最大となる波長領域および緑色（Ｇ）画素部の透過率が最大となる波長領域において、透過率が低いことが好ましい。
【００４６】
また、本発明の赤色（Ｒ）画素部は、カラー液晶表示装置とする際に用いられる、三波長冷陰極管に対応したものであることが好ましい。
【００４７】
さらに、本発明の赤色（Ｒ）画素部においては、透過率が最大となる波長における透過率が９５％以上であることが好ましい。透過率が最大となる波長における透過率を上記範囲内とすることにより、明度の高いカラーフィルタとすることが可能となるからである。
【００４８】
上記の赤色（Ｒ）画素部は、一般的にカラーフィルタで画素部として用いられるものであれば、材料等は特に限定されるものではなく、一般的な画素部の材料として、顔料とバインダとその添加剤等により構成される。
【００４９】
Ｃ．カラー液晶表示装置
次に、本発明のカラー液晶表示装置について説明する。本発明のカラー液晶表示装置は、上述したカラー液晶表示装置用三波長冷陰極管バックライトと、上述したカラーフィルタを有するものであれば、特に限定されるものではなく、一般的には、上述したカラーフィルタと、このカラーフィルタに対向するアレイ基板と、上記カラーフィルタと上記アレイ基板との間に封入された液晶層等から構成される。
【００５０】
上述したＮＴＳＣ規格の色特性再現領域に近い、高いＮＴＳＣ比が実現可能であり、かつカラーフィルタによる青色と緑色の色分離が容易である上記のカラー液晶表示装置用冷陰極管バックライトと、上記の色純度が高く、ＮＴＳＣ規格の色特性を実現することが可能な上記カラーフィルタを組み合わせることにより、広い再現域を有するような、高いＮＴＳＣ比を有するカラー液晶表示装置とすることが可能となるのである。
【００５１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【００５２】
【実施例】
以下に実施例および比較例を示して、本発明をさらに具体的に説明する。
【００５３】
［実施例］
（カラー液晶表示装置用三波長冷陰極管バックライト）
カラー液晶表示装置用冷陰極管バックライトとしては、ＢａＭｇ２Ａｌ１６Ｏ２７：Ｅｕ，Ｍｎと、ＬａＰＯ４：Ｃｅ，Ｔｂとを重量比５０：５０で混合した蛍光体を緑色（Ｇ）、Ｙ２Ｏ３：Ｅｕを赤色（Ｒ）、ＢａＭｇＡｌ１０Ｏ１７：Ｅｕを青色（Ｂ）として、任意の色調を持つ白色の三波長蛍光ランプを作成した。
【００５４】
得られたカラー液晶表示装置用三波長冷陰極管バックライトの相対輝度を図１に示す。得られたカラー液晶表示装置用三波長冷陰極管バックライトは、波長５２５ｎｍ〜５３５ｎｍの範囲内での相対輝度が、０．３１８〜０．３２５の範囲内であった。
【００５５】
（カラーフィルタ）
カラーフィルタとしては、以下のようにガラス基板（コーニング社製７０５９ガラス）上にカラーフィルタに用いられる種々の材料を用いて塗膜を形成した。
【００５６】
赤色（Ｒ）、緑色（Ｇ）、青色（Ｂ）各画素部の着色材料には顔料分散型フォトレジストを用いた。顔料分散型フォトレジストは、着色材料として顔料を用い、分散液組成物（顔料、分散剤、および溶剤を含有）にビーズを加え、分散機で３時間分散させ、その後ビーズを取り除いた分散液と、クリアレジスト組成物（ポリマー、モノマー、添加剤、開始剤および溶剤）とを混合したものである。その組成を下記に示す。なお、分散機としては、ペイントシェーカーを用いた。
【００５７】
ガラス基板を定法に従って洗浄した後、基板の片側全面にスパッタリング法により金属クロムからなる遮光層（厚さ０．２μｍ）を製膜した。次いで、この遮光層に対して通常のフォトリソグラフィー法によって感光性レジストを塗布、マスク露光、現像、エッチング、レジスト層剥離を行って、ブラックマトリックス基板を作製した。
【００５８】
赤色（Ｒ）の顔料分散型フォトレジストを、上記ブラックマトリックス基板上にスピンコート法で塗布、８０℃、５分間の条件でプリベーク、所定の着色パターン用フォトマスクを用いて、アライメント露光（３００ｍＪ／ｃｍ２）し、０．１％のＫＯＨ水溶液を用いたスプレー現像を６０秒行った後、２００℃、６０分間ポストベークすることで、ブラックマトリックスパターンに対して所定の位置に膜厚２．０μｍの赤色（Ｒ）画素パターンを形成した。
【００５９】
同様に、緑色（Ｇ）の顔料分散型フォトレジストを用いて、ブラックマトリックスパターンに対して所定の位置に膜厚２．０μｍの緑色（Ｇ）画素パターンを形成した。
【００６０】
さらに、青色（Ｂ）の顔料分散型フォトレジストを用いて、ブラックマトリックスパターンに対して、所定の位置に膜厚２．０μｍの青色（Ｂ）画素パターンを形成し、カラーフィルタを作製した。
・赤色（Ｒ）画素用レジスト
赤顔料：　チバスペシャリティケミカルズ社製　クロモフタールＤＰＰ　Ｒｅ
ｄ　ＢＰ　　　　　　　　　　　　　　　　　　　　　　　　　　３．４重量部
黄顔料：ＢＡＳＦ社製　パリオトールイエローＤ１８１９　　　２．６重量部
分散剤：ゼネカ（株）製　ソルスパース２４０００　　　　　　３．０重量部
モノマー：サートマー（株）製　ＳＲ３９９　　　　　　　　　４．０重量部
ポリマーＡ：　　　　　　　　　　　　　　　　　　　　　　　５．０重量部
開始剤：チバガイギー社製　イルガキュア９０７　　　　　　　１．４重量部
開始剤：２，２´−ビス（ｏ−クロロフェニル）−４，５，４´，５´−テト
ラフェニル−１，２´−ビイミダゾール　　　　　　　　　　　　０．６重量部
溶剤：プロピレングリコールモノメチルエーテルアセテート　８０．０重量部
・緑色（Ｇ）画素用レジスト
緑顔料：ゼネカ（株）製　モナストラルグリーン９Ｙ−Ｃ　　　３．４重量部
黄顔料：ＢＡＳＦ社製　パリオトールイエロー１０９０　　　　１．６重量部
黄顔料：バイエル（株）製ピグメントイエローＥ４ＧＮ　　　　１．１重量部
分散剤：ゼネカ（株）製　ソルスパース２４０００　　　　　　３．０重量部
モノマー：サートマー（株）製　ＳＲ３９９　　　　　　　　　４．０重量部
ポリマーＡ：　　　　　　　　　　　　　　　　　　　　　　　５．０重量部
開始剤：チバガイギー社製　イルガキュア９０７　　　　　　　１．４重量部
開始剤：２，２´−ビス（ｏ−クロロフェニル）−４，５，４´，５´−テト
ラフェニル−１，２´−ビイミダゾール　　　　　　　　　　　　０．６重量部
溶剤：プロピレングリコールモノメチルエーテルアセテート　８０．０重量部
・青色（Ｂ）画素用レジスト
青顔料：ＢＡＳＦ社製　ヘリオゲンブルーＬ６７００Ｆ　　　　５．７重量部
紫顔料：クラリアント社製　フォスタパームＲＬ−ＮＦ　　　　　０．３重量
部
顔料誘導体：ゼネカ（株）製　ソルスパース１２０００　　　　０．６重量部
分散剤：ゼネカ（株）製　ソルスパース２４０００　　　　　　２．４重量部
モノマー：サートマー（株）製　ＳＲ３９９　　　　　　　　　４．０重量部
ポリマーＡ：　　　　　　　　　　　　　　　　　　　　　　　５．０重量部
開始剤：チバガイギー社製　イルガキュア９０７　　　　　　　１．４重量部
開始剤：２，２´−ビス（ｏ−クロロフェニル）−４，５，４´，５´−テト
ラフェニル−１，２´−ビイミダゾール　　　　　　　　　　　　０．６重量部
溶剤：プロピレングリコールモノメチルエーテルアセテート　８０．０重量部
ここで、ポリマーＡは、ベンジルメタクリレート：スチレン：アクリル酸：２−ヒドロキシエチルメタクリレート＝１５．６：３７．０：３０．５：１６．９（モル比）の共重合体１００モル％に対して、２−メタクリロイルオキシエチルイソシアネートを１６．９モル％付加したものであり、重量平均分子量は４２５００である。
【００６１】
得られたカラーフィルタの分光透過率を図３に示す。得られたカラーフィルタの緑色（Ｇ）画素部の透過率が最大となる波長は５２０ｎｍ、緑色（Ｇ）画素部の透過率が最大となる波長より短波長側における透過率と、青色（Ｂ）画素部の透過率が最大となる波長より長波長側における透過率とが一致する波長が４８９ｎｍであり、この波長における透過率は５３％であった。ここで、上記分光透過率の値は、オリンパス光学工業（株）製分光測色計ＯＳＰ−ＳＰ２００により測定した値である。
【００６２】
（カラー液晶表示装置）
上記のカラーフィルタおよび上記カラー液晶表示装置用バックライトを用い、このカラーフィルタに対向するアレイ基板を配置し、上記カラーフィルタと上記アレイ基板との間に液晶層を封入しカラー液晶ディスプレイ装置とした。
【００６３】
カラー液晶表示装置の赤、青、緑、白をそれぞれ表示させ、色度測定を行った。この色度測定は、トプコン社製色彩輝度計ＳＲ−３を用い、周囲からの入射光がない状態で色彩輝度計をディスプレイの中心に対して法線方向に配置し、観測距離は５０ｃｍとした。これにより、測定した結果を図５に示す。実施例におけるＮＴＳＣ比は８４．２％であった。
【００６４】
［比較例］
（カラー液晶表示装置用冷陰極管バックライト）
カラー液晶表示装置用冷陰極管バックライトとしては、ＬａＰＯ４：Ｃｅ，Ｔｂを緑色（Ｇ）、Ｙ２Ｏ３：Ｅｕを赤色（Ｒ）、ＢａＭｇＡｌ１０Ｏ１７：Ｅｕを青色（Ｂ）として、任意の色調を持つ白色の三波長蛍光ランプを作成した。
【００６５】
得られたカラー液晶表示装置用三波長冷陰極管バックライトの相対輝度を図４に示す。得られたカラー液晶表示装置用三波長冷陰極管バックライトは、波長５２５ｎｍ〜５３５ｎｍの範囲内での相対輝度が、０．０２６〜０．０５０の範囲内であった。
【００６６】
（カラーフィルタ）
カラーフィルタは、実施例と同様のものを使用した。
【００６７】
（カラー液晶表示装置）
上記のカラーフィルタおよび上記カラー液晶表示装置用バックライトを用い、このカラーフィルタに対向するアレイ基板を配置し、上記カラーフィルタと上記アレイ基板との間に液晶層を封入しカラー液晶ディスプレイ装置とした。
【００６８】
カラー液晶表示装置の赤、青、緑、白をそれぞれ表示させ、色度測定を行った。この色度測定は、トプコン社製色彩輝度計ＳＲ−３を用い、周囲からの入射光がない状態で色彩輝度計をディスプレイの中心に対して法線方向に配置し、観測距離は５０ｃｍとした。これにより、測定した結果を図５に示す。実施例におけるＮＴＳＣ比は７３．５％であった。
【００６９】
【発明の効果】
本発明によれば、カラー液晶表示装置に用いられるバックライトが、波長５３０±５ｎｍの範囲内において、上記の値以上の相対輝度を有することにより、カラー液晶表示装置とした場合に、緑色の再現領域を広くすることが可能となり、ＮＴＳＣ規格の色特性再現領域に近い、高いＮＴＳＣ比が実現可能なカラー液晶表示装置とすることが可能となるのである。
【図面の簡単な説明】
【図１】本発明の三波長冷陰極管の相対輝度の一例を示した図である。
【図２】ＣＩＥｘｙ座標におけるＮＴＳＣ規格を示した図である。
【図３】本発明のカラーフィルタの分光透過率の一例を示した図である。
【図４】一般的な三波長冷陰極管の相対輝度の一例を示した図である。
【図５】実施例および比較例のカラー液晶表示装置用バックライトの各色の輝度比率をそれぞれ示した図である。
【図１】
2004101705.tif 000002
【図２】
2004101705.tif 000003
【図３】
2004101705.tif 000004
【図４】
2004101705.tif 000005
【図５】
2004101705.tif 000006